(57)【特許請求の範囲】
【請求項１】
一定の光量の基準照明光を発光できる光源を有する基準光源部と、該光源からの基準照明光を、受光して測光を行う色彩輝度計と、前記光源と該色彩輝度計との間に介装されて、基準照明光の色を変更可能なフィルタ部とを有する基準光源装置であって、
前記フィルタ部には、前記光源側に位置して、光源からの基準照明光を面状に拡散する第一拡散板と、前記色彩輝度計側に位置する第二拡散板と、該第一拡散板と第二拡散板との間に位置して、薄板状のフィルタ部材を複数枚重ねて収容可能な一定間隔の間隙を有するフィルタ収容部とを設け、
前記第二拡散板の面状拡散領域内に、前記色彩輝度計を着脱可能に接続する筒状接続部を設けたことを特徴とする基準光源装置。
【請求項２】
前記基準光源部は、前記第一拡散板に対して着脱可能となるように構成されていることを特徴とする請求項１記載の基準光源装置。
【請求項３】
前記色彩輝度計は、前記筒状接続部によって、交換可能となるように構成されていることを特徴とする請求項１又は２記載の基準光源装置。
【請求項４】
前記基準光源部として、前記第一拡散板の面延設方向に沿って、敷き詰められたＬＥＤ発光体を光源とする面状基準光源を用いることを特徴とする請求項１乃至３のうち、何れか一項記載の基準光源装置。
【請求項５】
前記基準光源部として、車両用表示装置の表示照明光源部を用いることを特徴とする請求項１乃至３のうち、何れか一項記載の基準光源装置。
【請求項６】
前記フィルタ収容部のフィルタ収容空間の両側に位置する前記拡散板は、面内外方向に弾性変形可能な合成樹脂製であることを特徴とする請求項１乃至５のうち、何れか一項記載の基準光源装置。
【発明の詳細な説明】
【技術分野】
【０００１】
本発明は、主に、自動車等、車両の表示装置に用いられる基準光源装置で、特に、色彩輝度計の較正のみならず、表示部分の照明光の透過度や表示部分の印刷濃度等、表示装置の開発に用いることが出来る基準光源装置に関するものである。
【背景技術】
【０００２】
従来、車両用の表示装置の色彩輝度を測定する為、色彩輝度計が使用されている（例えば、特許文献１等参照）。
【０００３】
このような色彩輝度計では、一定の光量の基準照明光を発光できる基準光源装置を用いて、予め複数台の色彩輝度計の測光量の較正（キャリブレーション）が行われ、色彩輝度の測定感度がレベリングされることにより、同一光量及び同一色彩では、複数台の色彩輝度計から、同一出力値が得られるように調整される。
【０００４】
具体的には、図５に示すように、机１の上面部１ａ等、平坦な場所に載置された較正基準器としての基準光源装置２には、白熱電球等の光源を構成するバルブ３が内蔵されている。
【０００５】
この基準光源装置２には、前記バルブ３の発光により、装置本体５内部のレンズ４ａ…等の光学系調光部材４を介して、円筒形状の遮光筒状部４ｂの径方向中心ａを通り、外部へ向けて基準光が、発光軸ＥＬ上に沿って、照射されるように構成されている。
【０００６】
この基準光源装置２の遮光筒状部４ｂの発光面開口部内周縁には、数種類（ここでは、５種類）の色度補正用円形フィルタ１０ａ〜１０ｅ…等によって構成される円形フィルタ群１０の中から、何れかのフィルタ１０ａ…等が一枚ずつ交換されて装着されるように構成されている。
【０００７】
また、同じ机１の上面部１ａには、この基準光源装置２の発光軸ＥＬ上に、並ぶように、入光軸Ｌ１が揃えられた色彩輝度計６が載置される。
【０００８】
この色彩輝度計６には、前記入光軸Ｌ１を径方向中心ｂ（不図示）を介して、内部のレンズ７ａ群等の光学系調光部材７に導く円筒状フード部材８ｂが、本体ケース８の外側面から突設されている。
【０００９】
更に、この色彩輝度計６の光学系調光部材７を介して受光された測定光は、前記本体ケース８の内部に設けられた受光素子９によって、測光されて、レベリングに必要とされる測光データが、各色彩輝度計から収集されるように構成されている。
【００１０】
そして、測定感度が、較正によりレベリングされたこれらの各色彩輝度計を用いることによって、多数の車両用の各表示装置の色彩輝度が、同一基準で、計測できる。
【００１１】
このため、何れの車両用の表示装置が表示する各種車両情報は、この色彩輝度計によって測定された色彩輝度に基づいて、均一化されるように修正されて、視認しやすい光量及び色彩となる。
【先行技術文献】
【特許文献】
【００１２】
【特許文献１】特開平３−２９５４２３号公報
【発明の概要】
【発明が解決しようとする課題】
【００１３】
このように構成された従来の基準光源装置を用いた色彩輝度計の較正方法では、前記基準光源装置２が載置された机１の上面部１ａに、前記色彩輝度計６が設置される際、前記発光軸ＥＬの軸線上に、前記入光軸Ｌ１が位置するように、前記遮光筒状部４ｂの径方向中心ａを前記円筒状フード部材８ｂの中心と合わせて、高さ及び水平度が揃えられる。
【００１４】
そして、この基準光源装置２の発光軸ＥＬ上に、この色彩輝度計６の入光軸Ｌ１が、一列に並べられて、発光軸ＥＬ上と入光軸Ｌ１との間に、折曲角度αが発生しない（α＝
０°）ように正確に連結される。
【００１５】
この連結の際に、図５中二点鎖線で示す様に、前記基準光源装置２又は色彩輝度計６が傾いて、発光軸ＥＬ上と入光軸Ｌ１との間に、折曲角度αが発生したり、入光軸Ｌ２が発光軸ＥＬからずれると、正確な測光値を得ることが困難となってしまう。
【００１６】
また、前記基準光源装置２の遮光筒状部４ｂの発光面開口部周縁と、略同径を有する色彩輝度計６の円筒状フード部材８ｂ周縁との間に隙間が発生すると、外光ＧＬが侵入してしまう虞があった。
【００１７】
この点においても、前記遮光筒状部４ｂの発光面開口部周縁と、色彩輝度計６の円筒状フード部材８ｂ周縁との間に正確に合致させて、外光ＧＬの侵入を防止したり、或いは、周囲を暗くした暗室内で測光して影響を最小限に抑えなければならず、作業性が良好であるとは言い難かった。
【００１８】
しかも、このような色彩輝度計６の較正作業は、白色フィルタを用いる輝度値だけでなく、前記５種類の色彩を有する色度補正用円形フィルタ１０ａ〜１０ｅ…等によって構成される円形フィルタ群１０の中から、一枚ずつ交換して、各色彩輝度計６から、複数の較正に用いる計測値を得なければならない。
【００１９】
このような交換を行う際にも、前記遮光筒状部４ｂの発光面開口部周縁と色彩輝度計６の円筒状フード部材８ｂ周縁との間の連結作業を、毎回行わなければならず、測定に必要とされる時間を短縮することが困難であった。
【００２０】
そこで、本願発明は、較正に必要とされる時間を短縮することが出来ると共に、表示部分の照明光の透過度や表示部分の印刷濃度等、表示装置の開発に用いることが出来る基準光源装置を提供することを課題としている。
【課題を解決するための手段】
【００２１】
上記課題を解決する為に、請求項１に記載されたものは、一定の光量の基準照明光を発光できる光源を有する基準光源部と、該光源からの基準照明光を、受光して測光を行う色彩輝度計と、前記光源と該色彩輝度計との間に介装されて、基準照明光の色を変更可能なフィルタ部とを有する基準光源装置であって、前記フィルタ部には、前記光源側に位置して、光源からの基準照明光を面状に拡散する第一拡散板と、前記色彩輝度計側に位置する第二拡散板と、該第一拡散板と第二拡散板との間に位置して、薄板状のフィルタ部材を複数枚重ねて収容可能な一定間隔の間隙を有するフィルタ収容部とを設け、前記第二拡散板の面状拡散領域内に、前記色彩輝度計を着脱可能に接続する筒状接続部を設けた基準光源装置を特徴としている。
【００２２】
また、請求項２に記載されたものは、前記基準光源部は、前記第一拡散板に対して着脱可能となるように構成されている請求項１記載の基準光源装置を特徴としている。
【００２３】
更に、請求項３に記載されたものは、前記色彩輝度計は、前記筒状接続部によって、交換可能となるように構成されている請求項１又は２記載の基準光源装置を特徴としている。
【００２４】
そして、請求項４に記載されたものは、前記基準光源部として、前記第一拡散板の面延設方向に沿って、敷き詰められたＬＥＤ発光体を光源とする面状基準光源を用いる請求項１乃至３のうち、何れか一項記載の基準光源装置を特徴としている。
【００２５】
更に、請求項５に記載されたものは、前記基準光源部として、車両用表示装置の表示照明光源部を用いる請求項１乃至３のうち、何れか一項記載の基準光源装置を特徴としている。
【００２６】
また、請求項６に記載されたものは、前記フィルタ収容部のフィルタ収容空間の両側に位置する前記拡散板は、面内外方向に弾性変形可能な合成樹脂製である請求項１乃至５のうち、何れか一項記載の基準光源装置を特徴としている。
【発明の効果】
【００２７】
このように構成された請求項１記載のものは、前記第一拡散板と第二拡散板との間に形成されたフィルタ収容部に、薄板状のフィルタ部材が、複数枚重ねられた状態で、収容される。
【００２８】
該フィルタ収容部では、一定間隔の間隙を設けて形成される空間が、前記フィルタ部材で埋められることにより、隙間から外部の光が侵入しにくい。
【００２９】
また、前記第二拡散板の面状拡散領域内に、前記色彩輝度計が、前記筒状接続部を介して接続されている。
【００３０】
このため、前記第二拡散板から該色彩輝度計方向へ向かう測定光は、略全面で均質化されて、しかも、該筒状接続部によって外部の光の侵入が防止されるので、安定した測定光を得られる。
【００３１】
また、請求項２に記載されたものは、前記第一拡散板から、前記基準光源部が、着脱可能であるので、異なる種類の基準光源部と交換可能である。
【００３２】
この際、前記フィルタ部材を収容したフィルタ収容部は、そのまま、前記筒状接続部を介して、前記色彩輝度計に接続しておくことにより、従来のような位置合わせの必要が無く、装脱着の作業性が良好である。
【００３３】
更に、請求項３に記載されたものでは、前記筒状接続部によって、前記色彩輝度計が、前記交換可能である。
【００３４】
このため、個別の色彩輝度計の測定値を同一条件で測光することにより、較正データとして用いて、複数の色彩輝度計のレベリングを行うことが出来る。
【００３５】
そして、請求項４に記載されたものは、前記第一拡散板の面延設方向に沿って、敷き詰められたＬＥＤ発光体を光源とする面状基準光源が、前記基準光源部として用いられているので、小型軽量化出来る。
【００３６】
また、光源からの発熱も少ないので、配置位置の自由度が向上し、例えば、前記第一拡散板から離し置きされた回路基板に、複数のＬＥＤ発光体を敷き詰めて配置することにより、測光に必要とされる充分な光量を確保出来る。
【００３７】
更に、請求項５に記載されたものは、前記基準光源部として、車両用表示装置の表示照明光源部が、車両用表示装置に実装された場合と略同様に照明光を照射する。
【００３８】
このため、前記フィルタ収容部内に収容されたフィルタを、該車両用表示装置の表示面部に用いられる各種色彩フィルタや、或いは、遮光フィルタ等として、前記色彩輝度計を用いた測光を行い、測光データを収集することが出来る。
【００３９】
従って、開発時に該表示面部の透過率や或いは、濃度等を把握する等、開発ツールとして利用出来る。
【００４０】
また、請求項６に記載されたものは、前記フィルタ収容部のフィルタ収容空間の両側に位置する前記拡散板が、面内外方向に弾性変形可能に形成されている。
【００４１】
このため、該フィルタ収容空間の間隙に複数枚のフィルタが、収容されると、両側から前記拡散板の弾性反力によって、前記フィルタ部材が挟持されて、隙間が確実に埋められる。
【００４２】
従って、更に、外部の光が、前記第二拡散板の面状拡散領域内に、入りにくく、正確な測定が可能である。
【００４３】
しかも、前記フィルタ部材は、前記フィルタ収容空間の間隙に収容される際に、両側から合成樹脂製の拡散板に挟持されているだけなので、円滑に挿抜出来、各種フィルタ部材との交換が容易に出来る。
【図面の簡単な説明】
【００４４】
【図１】この発明の実施の形態の基準光源装置で、筒状接続部を介して、色彩輝度計と接続されている様子を示す斜視図である。
【図２】この発明の実施の形態の基準光源装置で、基準光源装置の構成を説明する光軸中心に沿った分解斜視図である。
【図３】この発明の実施の形態の実施例１の基準光源装置で、基準光源部として、車両用表示装置の表示照明光源部を装着する様子を示す分解斜視図である。
【図４】実施例１の基準光源装置で、表示照明光源部の要部を説明する図３中Ａ−Ａ線に沿った位置での拡大断面図である。
【図５】従来例の基準光源装置で、色彩輝度計と共に、机上に並べられた様子を示す模式的な斜視図である。
【発明を実施するための形態】
【００４５】
次に、図面に基づいて、この発明を実施するための実施の形態の基準光源装置について、図１乃至図４を用いて説明する。
【００４６】
なお、前記従来と同一乃至均等な部分については、同一符号を付して説明する。
【００４７】
まず、この実施の形態の基準光源装置の構成について説明すると、この基準光源装置１１は、一定の光量の基準照明光を発光できる光源としての基準光源部１２と、この基準光源部１２からの基準照明光を、受光して測光を行う前記従来と略同様に構成された色彩輝度計６と、これらの基準光源部１２及び前記色彩輝度計６との間に介装されて、基準照明光の色を変更可能なフィルタ部１３とを有して、主に構成されている。
【００４８】
このうち、前記フィルタ部１３には、図２に示すように、前記基準光源部１２側に位置して、基準光源部１２からの基準照明光を、面状に拡散する正面視略正方形形状を呈してなる第一拡散板１４が設けられている。
【００４９】
また、このフィルタ部１３には、前記色彩輝度計６側に位置して、前記第一拡散板１４の外形形状と、概略同一外形の正面視略正方形形状を呈する第二拡散板１５が、設けられている。
【００５０】
更に、このフィルタ部１３には、これらの第一拡散板１４と第二拡散板１５との間に介挿される正面視凹状の中間拡散板１６が設けられている。
【００５１】
これらの各第一拡散板１４，第二拡散板１５及び中間拡散板１６とは、各々略同一厚さ方向寸法ｄ１（第二拡散板１５），ｄ２（中間拡散板１６），ｄ３（第一拡散板１４）を呈していて、３枚が重合させられた状態で、この中間拡散板１６の厚さ方向寸法ｄ２によって、前記第一拡散板１４と第二拡散板１５との間に、一定間隔の間隙を有するフィルタ収容部１７が形成されている。
【００５２】
このフィルタ収容部１７には、各々正面視略長方形薄板状を呈して、各々異なる色彩からなるフィルタ部材１８ａ，〜１８ｄ…を有するフィルタ群１８の中から、適宜複数枚重ねられた状態（この実施の形態では、２枚）で、収容可能となるように、２枚の厚さ方向寸法ｄ４，ｄ５が、前記中間拡散板１６の厚さ方向寸法ｄ２の各々約半分（例えば、約ｄ２＝ｄ４＋ｄ５，ｄ４＝ｄ５）となるように構成されている。
【００５３】
また、この実施の形態の前記フィルタ収容部１７の横幅方向寸法ｗ１は、前記各フィルタ部材１８ａ…の横幅方向外寸法ｗ２よりも大きくなる（ｗ１＞ｗ２）ように構成されている。
【００５４】
更に、この実施の形態では、前記フィルタ収容部１７の縦方向寸法ｈ１よりも、前記各フィルタ部材１８ａ…の高さ方向外寸法ｈ２が、大きくなる（ｈ２＞ｈ１）ように構成されていて、図１に示す収容状態で、前記フィルタ収容部１７から、各フィルタ部材１８ａ〜１８ｄ…には、上方に突出した各把持部１９ａ〜１９ｄ…が、各々一体となるように形成されていて、円滑に挿抜可能となるように構成されている。
【００５５】
また、各第一拡散板１４，第二拡散板１５及び中間拡散板１６の四隅近傍には、ネジ固定孔１４ａ…，１５ａ…，１６ａ…が、面内，外方向に貫通するように形成されていて、３枚を重合した状態では、各ネジ固定孔１４ａ，１５ａ，１６ａの位置が一致するように構成されている。
【００５６】
更に、図２に示すように、この第二拡散板１５のうち、略均等に照明光で照明される面状拡散領域１５ｂ内は、この四隅の前記各ネジ固定孔１５ａ…近傍まで拡大されている。
【００５７】
そして、この面状拡散領域１５ｂ内には、二点鎖線で示す位置に、前記色彩輝度計６を着脱可能に接続する筒状接続部２０のうち、円筒形状を呈する光源側フード部材２１の一端部２１ａが、接着されている。
【００５８】
また、この光源側フード部材２１の他端部２１ｂの外周面には、雄ネジ部２１ｃが形成されている。
【００５９】
この筒状接続部２０は、主に、この光源側フード部材２１と、この光源側フード部材２１よりも外径をやや大きくなるように略円筒形状に形成された色彩輝度計側フード部材２２とを有している。
【００６０】
この色彩輝度計側フード部材２２の光源方向の一端２２ｂ側に位置する内周面には、前記雄ネジ部２１ｃと螺合するフィルタ用雌ネジ部２２ａが形成されている。
【００６１】
また、図１に示すように、この色彩輝度計側フード部材２２の色彩輝度計側フード部材他端部２２ｃが、前記色彩輝度計６の本体ケース８の前面部に開口形成された入光開口部８ａの周縁に固着されている。
【００６２】
更に、これらの前記雄ネジ部２１ｃとフィルタ用雌ネジ部２２ａとが螺合される接続部分の外周には、フードリング部材２３が外嵌されて、この接続部分を覆うように構成されている。
【００６３】
そして、この実施の形態の筒状接続部２０は、これらの光源側フード部材２１と共に、前記フィルタ部１３を回転させることにより、前記雄ネジ部２１ｃによるフィルタ用雌ネジ部２２ａへの螺合を解除して、この筒状接続部２０の接続部分から取り外し可能で交換可能となるように構成されている。
【００６４】
また、前記基準光源部１２は、このフィルタ部１３の前記第一拡散板１４に対して着脱可能となるように構成されている。
【００６５】
この実施の形態の基準光源部１２は、前記第一拡散板１４の面延設方向に沿って、四隅に装着される六角スペーサ部材２４…によって、図１に示すように、所望の間隔寸法Ｙ１を置いてエポキシ樹脂基板１２ａを有している。
【００６６】
また、図２に示すように、このエポキシ樹脂基板１２ａのフィルタ収容部１７側側面には、光源としての複数のＬＥＤ発光体３０…が、相互の間隔が略無いように、敷き詰められて設けられている。
【００６７】
この複数のＬＥＤ発光体３０…は、前記エポキシ樹脂基板１２ａに固着された駆動制御部１２ｂに電気的に接続されていて、通電量が制御されて、発光光量を同時に制御可能な面状基準光源が構成されている。
【００６８】
更に、このエポキシ樹脂基板１２ａの四隅には、前記第一拡散板１４の四隅に形成された各ネジ固定孔１４ａ…に対向する位置に、ネジ挿通孔１２ｃ…が、面内外方向へ各々貫通形成されている。
【００６９】
そして、各々蝶型摘み２５ｂ…が一体に形成された蝶ネジ部材２５…のネジ軸部２５ａ…が、各ネジ挿通孔１２ｃ…に挿通されて、前記六角スペーサ部材２４…，各第一拡散板１４，中間拡散板１６及び第二拡散板１５の四隅近傍に開孔形成された各ネジ固定孔１４ａ…，１６ａ…，１５ａ…を介して、突出したネジ軸部２５ａ…を、各々六角ナット部材２６…の各ネジ穴２６ａ内のネジ部に螺合させることにより、この基準光源部１２を、前記フィルタ部１３と共に、前記色彩輝度計６に装着可能としている。
【００７０】
また、六角ナット部材２６…の各ネジ穴２６ａ内のネジ部から、前記各ネジ固定孔１５ａを介して突出しているネジ軸部２５ａ…の螺合を解除すると、前記基準光源部１２が、前記フィルタ部１３と共に、前記色彩輝度計６から取り外し可能として、交換できるように構成されている。
【００７１】
次に、この実施の形態の基準光源装置１１の作用効果について説明する。
【００７２】
この実施の形態の基準光源装置１１では、前記第一拡散板１４と第二拡散板１５との間に形成されたフィルタ収容部１７に、薄板状のフィルタ部材１８ａ…が、複数枚重ねられた状態、ここでは、前記複数のフィルタ部材１８ａ〜１８ｄ…で構成されるフィルタ群１８の中から、２枚が選択されて、前記収容される。
【００７３】
そして、前記駆動制御部１２ｂを用いて、前記基準光源部１２に設けられた各ＬＥＤ発光体３０…を点灯して、前記フィルタ部１３方向へ向けて照明光を照射する。
【００７４】
このフィルタ部１３では、まず、前記第一拡散板１４で、この照明光を拡散させて、面延設方向の光量を均質化する。
【００７５】
フィルタ部１３のフィルタ収容部１７内に収容された各種フィルタ部材１８ａ…を通過した照明光は、前記第二拡散板１５で拡散されてから、前記色彩輝度計６を接続する前記筒状接続部２０の光源側フード部材２１内に導かれる。
【００７６】
前記各第一拡散板１４，第二拡散板１５及び中間拡散板１６は、各々略同一厚さ方向寸法ｄ１，ｄ２，ｄ３を呈して外周縁に各々端面が形成されているが、拡散板によって構成されているので、照明光として前記基準光源部１２から照光される光量に比して、外部から各端面を通過して、面状拡散領域１５ｂ内まで、入光する光量は、少ない。
【００７７】
このため、外部を暗室等にする必要が無く、測定利便性が良好である。
【００７８】
更に、このフィルタ収容部１７では、前記中間拡散板１６の厚さ方向寸法ｄ２によって設けられて、一定間隔の間隙を有する空間が、前記フィルタ部材１８ａ…で、埋められることにより、前記第一拡散板１４と第二拡散板１５との間の隙間から外部の光が侵入しにくい。
【００７９】
また、前記第二拡散板１５の面状拡散領域１５ｂ内に、前記色彩輝度計６が、前記筒状接続部２０を介して接続されている。
【００８０】
このため、前記第二拡散板１５から、色彩輝度計６方向へ向かう測定光は、前記面状拡散領域１５ｂ内の略全面で均質化された照明光のみとなり、しかも、筒状接続部２０によって外部の光の侵入が防止されるので、前記色彩輝度計６に到達して入光する基準照明光を、略全面で、安定させて、基準測定光として用いて好適である。
【００８１】
そして、前記第一拡散板１４から、前記基準光源部１２が、着脱可能であるので、異なる種類の基準光源部、例えば、後述する基準光源部３２等との交換が容易に行える。
【００８２】
この際、基準光源部１２のみが交換可能であるので、フィルタ収容部１７内に前記フィルタ部材１８ａ…を収容したまま、前記筒状接続部２０を介して、前記色彩輝度計６に接続しておくことにより、従来のような正確な位置合わせの必要が無く、装脱着の作業性が良好である。
【００８３】
更に、前記筒状接続部２０の光源側フード部材２１と共に、前記フィルタ部１３を回転させることにより、前記雄ネジ部２１ｃによるフィルタ用雌ネジ部２２ａへの螺合が解除されて、この筒状接続部２０の接続部分から、略二分割することにより、取り外し可能である。
【００８４】
よって、前記色彩輝度計６が、交換可能で、個別の色彩輝度計６…の測定値を同一条件で測光することにより、較正データとして用いて、これらの複数の色彩輝度計６…のレベリングを行うことが出来る。
【００８５】
そして、この実施の形態では、前記第一拡散板１４の面延設方向に沿って、敷き詰められた複数のＬＥＤ発光体３０…を光源とする面状基準光源が、基準光源部として用いられている。このため、これらのＬＥＤ発光体３０…が実装される前記エポキシ樹脂基板１２ａに前記駆動制御部１２ｂを固着させても、光源の大きさを、従来の図５に示す基準光源装置２に比して、小型軽量化出来る。
【００８６】
また、ＬＥＤ発光体３０…からの発熱も少ないので、配置位置の自由度が向上し、例えば、前記第一拡散板１４から離し置きされたエポキシ樹脂基板１２ａに、複数のＬＥＤ発光体３０…が、敷き詰められて、配置されても、隣接する他のＬＥＤ発光体３０…への熱の影響が殆ど無く、面状に均質で、しかも、測光に必要とされる充分な光量を確保出来る。
【００８７】
この実施の形態では、前記フィルタ収容部１７のフィルタ収容空間の両側に位置する前記第一拡散板１４及び第二拡散板１５が、合成樹脂製材料によって、概略同一外形の正面視略正方形形状を呈するように薄板状に形成されている。
【００８８】
また、これらの第一拡散板１４及び第二拡散板１５の四隅近傍に設けられたネジ固定孔１４ａ…及び１５ａ…によって、正面視凹状の中間拡散板１６が介挿されて、外周縁部に沿って、枠材の様に固定されている。
【００８９】
このため、このフィルタ収容部１７は、上縁部から、下縁部近傍に亘り、面内外方向に弾性変形可能となる。
【００９０】
従って、フィルタ収容空間の間隙に収容された適切な厚さ方向寸法（例えば、図１中に示すｄ２＝ｄ４＋ｄ５）を有する２枚のフィルタ部材１８ａ，１８ｂ…等が、両側から前記第一拡散板１４，第二拡散板１５の弾性反力によって、両側から挟持されて、相互に圧接されることにより密着して隙間が確実に埋められる。
【００９１】
更に、前記第二拡散板１５の面状拡散領域１５ｂ内に、外部の光が、入りにくく、正確な測定が可能である。
【００９２】
しかも、これらのフィルタ部材１８ａ…は、前記フィルタ収容部１７の間隙に収容される際に、両側から合成樹脂製の第一拡散板１４及び第二拡散板１５に挟持されているだけなので、円滑に摺動させて挿抜出来、各種フィルタ部材１８ｃ…等との交換が容易に出来る。
【００９３】
また、前記各種フィルタ部材１８ａ，１８ｂ…が、透明合成樹脂板又はガラス板等、何れか一側面に、光沢面となる基材が設けられて、他方の外側面（この実施の形態では、例えば、基準光源部１２側）に、印刷等により着色層が設けられている場合でも、この基材及び着色層のうち、照明光透過部分が、挿抜によって劣化する虞が少ない。
【００９４】
従って、各種フィルタ部材１８ａ，１８ｂ…を、２枚ずつ様々な組み合わせとして、測定に用いることができるので、各種フィルタ部材１８ａ，１８ｂ…の数に比して、様々な色彩や透過度を用いた測定が可能である。
【００９５】
また、この実施の形態では、図１に示す収容状態で、前記フィルタ収容部１７から、各フィルタ部材１８ａ…が、各把持部１９ａ…を一体となるように上方に突設形成されていて、円滑に挿抜可能としている。
【００９６】
このため、各フィルタ部材１８ａ，１８ｂ…の照明光が通過する領域を把持する必要が無く、光透過品質を良好なものとすることが出来る。
【００９７】
更に、この実施の形態では、前記基準光源装置１１を他の基準光源装置と容易に、交換可能であるので、基準光源として様々な種類の光源装置を用いて測定が行える。
【実施例１】
【００９８】
図３及び図４は、この発明の実施の形態の実施例１の基準光源装置３１を示すものである。
【００９９】
なお、前記実施の形態と同一乃至均等な部分については、同一符号を付して説明する。
【０１００】
まず、この実施例１の基準光源装置３１の構成について、前記実施の形態の基準光源装置１１との相違点を中心に説明すると、この実施例１に用いられる基準光源部３２は、車両用表示装置の表示照明光源部に用いられる構成と、概略同一となるように構成されている。
【０１０１】
即ち、図３に示すように、この実施例１の基準光源装置３１の基準光源部３２には、透明樹脂製で、内部に照明光を透光して、正面視略正方形で略平面状を呈する乱反射面３４ａを有する導光部材３４が設けられている。
【０１０２】
この導光部材３４の乱反射面３４ａは、前記フィルタ部１３に対向配置されると共に、略水平方向に沿って、スリット３３…が複数本、平行に設けられている。
【０１０３】
また、この導光部材３４の上側一側縁３４ｂには、断面略コ字状の筐体３５が、長手方向をこの上側一側縁３４ｂに沿わせるように嵌着されている。
【０１０４】
この筐体３５の内部には、図４に示すように、光源としての前記ＬＥＤ発光体３０…が、一列に隙間無く並べられて装着された回路基板３６が、延設されている。
【０１０５】
この回路基板３６は、前記導光部材３４に固着された駆動制御部１２ｂに電気的に接続されていて、通電量が制御されることにより、各ＬＥＤ発光体３０…の発光光量を同時に制御可能として、前記乱反射面３４ａから、略均一な面状基準光を照光可能な面状基準光源となるように構成されている。
【０１０６】
次に、この実施例１の基準光源装置３１の作用効果について説明する。
【０１０７】
この実施例１の基準光源装置３１では、前記実施の形態の基準光源装置１１の作用効果に加えて、更に、基準光源部として、車両用表示装置の表示照明光源部と略同様に構成された基準光源装置３１が用いられている。
【０１０８】
このため、前記フィルタ部１３に向けて、前記基準光源部３２の各ＬＥＤ発光体３０…から照光される照明光は、図４に示すように、前記導光部材３４の上側一側縁３４ｂから内部に入光した照明光を透光して、正面視略正方形で略平面状を呈する乱反射面３４ａに設けられた各スリット３３…によって、略直交する方向に散乱されて、面延設方向で略均等な光量となる。
【０１０９】
従って、面光源として、車両用表示装置の表示照明光源部が、車両用表示装置に実装された場合と略同様に照明光を照射することができる。
【０１１０】
よって、前記フィルタ収容部１７内に収容されたフィルタ部材１８ａ…を、車両用表示装置の表示面部に用いられる各種色彩フィルタや、或いは、遮光フィルタ等として、容易に交換しながら、前記色彩輝度計６を用いた測光を行い、測光データを収集することが出来る。
【０１１１】
従って、開発時に、車両の表示面部の透過率や或いは、濃度等を把握する等、開発ツールとして利用出来る。
【０１１２】
他の構成、及び作用効果については、前記実施の形態と同様であるので、説明を省略する。
【０１１３】
以上、図面を参照して、本発明の実施の形態及び実施例１の基準光源装置１１，３１を詳述してきたが、具体的な構成は、これらの基準光源装置１１，３１に限らず、本発明の要旨を逸脱しない程度の設計的変更は、本発明に含まれる。
【０１１４】
例えば、前記実施の形態及び実施例１では、前記フィルタ部材１８ａ…が、前記フィルタ収容部１７の間隙に収容される際に、両側から合成樹脂製の第一拡散板１４及び第二拡散板１５に挟持されているが、特にこれに限らず、外部の光が、入光しないように遮光できれば、第一拡散板１４と第二拡散板１５との間に設けられたフィルタ収容部１７が有する一定間隔の間隙内に各種フィルタ部材１８ａ…等を挿抜させて交換可能としたり、或いは、フィルタ収容部１７に対しフィルタ部材１８ａ，１８ｂ等毎に、個別の一定の間隙を形成して挿抜できるようにしたりする等、どのような形状，数量及び材質によって構成されるフィルタ収容部１７であってもよい。
【０１１５】
また、実施の形態及び実施例１では、各種フィルタ部材１８ａ，１８ｂ…を２枚ずつ様々な組み合わせで用いるように構成しているが、特にこれに限らず、３枚以上等、複数であれば良く、また、フィルタ部材１８ａ…等の形状、数量及び材質が限定されるものではなく、例えば、フィルタ部材１８ａ…が、何れの側面に色彩を有しているか限定されるものではない。
【０１１６】
更に、フィルタ部材１８ａが、全体に有色透明であっても良く、これらの各種フィルタ部材１８ａ，１８ｂ…の組み合わせ数が増大することにより、用意された各種フィルタ部材１８ａ，１８ｂ…の数に比して、様々な色彩や透過度を用いた測定が可能となる。
【０１１７】
また、この実施の形態の実施例１では、前記基準光源装置１１を他の基準光源装置としての基準光源装置３１と容易に交換可能としたものを示して説明してきたが、特に車両用の表示装置の表示面部に用いられる照明装置等に限らず、例えば、基準光源として様々な種類の光源装置として、複数のバルブを配列した光源装置や、前記ＬＥＤ発光体３０…の数量及び配列の異なる光源装置、或いは、有機若しくは無機ＥＬや、蛍光管等、面状に限らず、測光が行えるように構成されているものであれば、特に形状、数量、配列、密度及び材質が、特に限定されるものではない。
【０１１８】
更に、前記実施例１の導光部材３４の乱反射面３４ａには、略水平方向に沿って、スリット３３…が複数本、平行に設けられているが、特にこれに限らず、凹凸形状や、散乱塗装層等、どのようなものであっても、光源からの照光を散乱させて、面状とするものであれば、特に形状、数量、配列、密度及び材質が、特に限定されるものではない。
【産業上の利用可能性】
【０１１９】
この実施の形態の基準光源装置は、自動車等、車両の表示装置に用いられる基準光源装置で、表示部分の照明光の透過度や表示部分の印刷濃度等、表示装置の開発に用い、特に、車両の運転席前方に配置される車両用表示装置に限らず、車両の室内外の他の部分、若しくは車両以外であっても、色彩輝度の調整が必要なものであれば、どのようなものに用いてもよいものである。
【符号の説明】
【０１２０】
１１，３１       基準光源装置
１２，３２       基準光源部
１３             フィルタ部
１４             第一拡散板
１５             第二拡散板
１５ｂ           面状拡散領域
１６             中間拡散板
１７             フィルタ収容部
１８             フィルタ群
１８ａ，１８ｂ，１８ｃ，１８ｄ
フィルタ部材
２０             筒状接続部
２２             色彩輝度計側フード部材
２３             フードリング部材
３０             ＬＥＤ発光体
【図１】
0005518546.tif 000002
【図２】
0005518546.tif 000003
【図３】
0005518546.tif 000004
【図４】
0005518546.tif 000005
【図５】
0005518546.tif 000006